(57)【要約】【課題】製作工数を削減するとともにメッキの品質を向上させることができ、不完全装着を防止することができる照明器具を提供する。【解決手段】コーン部３０の上端部に、上へ行くに従って内径Ｄ１が大きくなる鍔部３３を設けたので、従来のようなカール部を設ける必要がなくなり、工数を削減してコストダウンを図ることができる。また、鍔部３３には、従来のカール部のように液が溜まらないので、メッキ処理時の品質向上を図ることができる。さらに、コーン取付バネ２４を誤ってコーン部３０の内側へ挿入した場合に、コーン部３０の上端部は内径Ｄ１が大きくなっていて、コーン取付バネ２４がコーン部３０内部の光源等を押圧する力が低下しているので、保持できず不完全嵌合を防止することができる。【選択図】図２
2011113753.tif 000002
【特許請求の範囲】
【請求項１】
被取付部に取付けられる器具本体と、この器具本体に設けられたコーン取付バネと、光源の下部に取付けられ前記コーン取付バネによって前記器具本体に取付けられるコーン部とを備えた照明器具であって、
前記コーン部の上端部に、上へ行くに従って内径が大きくなる鍔部を設け、
前記コーン取付バネが前記鍔部を係止することにより前記コーン部を前記器具本体に取付けることを特徴とする照明器具。
【発明の詳細な説明】
【技術分野】
【０００１】
本発明は、天井面等の取付部に埋め込んで使用するのに好適な照明器具に関するものである。
【背景技術】
【０００２】
従来の埋め込み型の照明器具には、被取付部に取付けられる器具本体の取付バネによって、光源の下部に取付けられる反射鏡が保持されるものがある（例えば特許文献１参照）。
図４に示すように、特許文献１に記載の照明器具１００は、全体略コ字状の器具本体１０１を有しており、器具本体１０１の下端部外側には、器具本体１０１を天井面の内面に取付けるための取付具１０２が複数個設けられている。器具本体１０１の上板１０３の下面には、複数個の支持バネ１０４およびランプ１０５を装着するためのソケット１０６が設けられている。支持バネ１０４は、上端が器具本体１０１の上板１０３に取り付けられ、中央部には内側へ折り曲げられた屈曲部１０９を有し、屈曲部１０９の下端から外側へ折り曲げられた先端部１１１を有する。屈曲部１０９は、図４中矢印Ａ方向へ付勢されている。
【０００３】
器具本体１０１の内部には、ランプ１０５の照射光を所定の方向へ反射するための反射鏡１０７を有しており、反射鏡１０７の上端部には全体円筒形状の取付部１０８が取付けられている。
取付部１０８の上端部は、一旦外側へ伸び、下方へ折り曲げて形成されたカール部１１０が設けられており、支持バネ１０４の屈曲部１０９によって係止され、付勢力により持ち上げられる。
【０００４】
従って、反射鏡１０７を器具本体１０１の内部に取り付ける際には、反射鏡１０７を器具本体１０１の下方から挿入して、取付部１０８のカール部１１０が支持バネ１０４の先端部１１１を外側へ押し広げながら上昇させる。
カール部１１０が支持バネ１０４の屈曲部１０９を通り過ぎると、取付部１０８の外形が小さくなるので支持バネ１０４の屈曲部１０９は弾性力により内側へ変移して、カール部１１０を係止する。
【先行技術文献】
【特許文献】
【０００５】
【特許文献１】特開平２−２８８０１３号公報（第２図）
【発明の概要】
【発明が解決しようとする課題】
【０００６】
しかしながら、前述した照明器具１００においては、カール部１１０を形成する工程が必要であり、製作コストがかかるという問題があった。
また、カール部１１０の内側には空間ができており、メッキ処理時にカール部１１０に液が溜まってメッキ品質が低下するという問題がある。
【０００７】
さらに、図５に示すように、反射鏡１０７を器具本体１０１に取付ける際に、誤って支持バネ１０４が取付部１０８の内部空間に挿入されると、取付部１０８とランプ１０５やソケット１０６との間に支持バネ１０４が挟まる。
すなわち、支持バネ１０４の先端１１１が取付部１０８の内面に当接し、支持バネ１０４の屈曲部１０９の上端１１３がカール部１１０に当接するので、支持バネ１０４の弾性力により、屈曲部１０９と先端部１１１との境界の頂点１１４がソケット１０６やランプ１０５に当接して矢印Ａ方向に押圧することになる。
このため、反射鏡１０７は直ぐには落下せず、不完全嵌合のまま取り付いた状態となる。この状態では、何かの拍子に支持バネ１０４が脱落して、反射鏡１０７が落下する恐れがある。
【０００８】
本発明は、従来の問題を解決するためになされたもので、製作工数を削減するとともにメッキの品質を向上させることができ、不完全装着を防止することができる照明器具を提供することを目的とする。
【課題を解決するための手段】
【０００９】
本発明の照明器具は、被取付部に取付けられる器具本体と、この器具本体に設けられたコーン取付バネと、光源の下部に取付けられ前記コーン取付バネによって前記器具本体に取付けられるコーン部とを備えた照明器具であって、前記コーン部の上端部に、上へ行くに従って内径が大きくなる鍔部を設け、前記コーン取付バネが前記鍔部を係止することにより前記コーン部を前記器具本体に取付ける構成を有している。
【００１０】
この構成により、コーン部の上端部に、上へ行くに従って内径が大きくなる鍔部を設けたので、従来のようなカール部を設ける必要がなくなり、工数を削減してコストダウンを図ることができる。
また、鍔部には、従来のカール部のように液が溜まらないので、メッキ処理時の品質向上を図ることができる。さらに、コーン取付バネを誤ってコーン部の内側へ挿入した場合に、コーン部の上端部は内径が大きくなっており、コーン取付バネがコーン部内部の光源等を押圧する力が低下して保持しないので、不完全嵌合を防止することができる。
【発明の効果】
【００１１】
本発明は、コーン部の上端部に、上へ行くに従って内径が大きくなる鍔部を設けたので、従来のようなカール部を設ける必要がなくなり、工数を削減してコストダウンを図ることができる。
また、鍔部には、従来のカール部のように液が溜まらないので、メッキ処理時の品質向上を図ることができる。さらに、コーン取付バネを誤ってコーン部の内側へ挿入した場合に、コーン部の上端部は内径が大きくなっており、コーン取付バネがコーン部内部の光源等を押圧する力が低下して保持しないので、不完全嵌合を防止することができるという効果を有する照明器具を提供できる。
【図面の簡単な説明】
【００１２】
【図１】本発明に係る実施形態の照明器具を示す分解斜視図
【図２】適正取付状態におけるコーン部の取り付け部分を示す断面図
【図３】コーン取付バネの不完全嵌合状態を示す断面図
【図４】従来の埋め込み型の照明器具の断面図
【図５】従来の照明器具における不完全嵌合状態の説明図
【発明を実施するための形態】
【００１３】
以下、本発明の実施形態の照明器具について、図面を用いて説明する。
図１に示すように、本発明に係る実施形態の照明器具１０は、光源であるランプ（図示省略）が装着可能で天井等の被取付面に取付けられる器具本体２０と、器具本体２０に取付けられるコーン部３０を有する。
【００１４】
器具本体２０は金属製であり、中央に開口部２１１を有するリング状の天板２１と、天井面に露出するリング状の装飾部材を兼ねた枠部材２２と、天板２１と枠部材２２とを連結する対向した一対のフレーム２３を有する。
【００１５】
天板２１の下面には、一対のコーン取付バネ２４が、天板２１の中心に対して点対称の位置に設けられている。
図２に示すように、コーン取付バネ２４は、器具本体２０の天板２１の下面に取付けられる取付部２４１を有し、取付部２４１の中心側（図２において左側）端部から外側下方へ屈曲する支持部２４２と、支持部２４２の下端から中心側下方へ伸びる係止部２４３と、係止部２４３の下端から外側下方へ伸びる導入部２４４を有する。
支持部２４２は、取付状態では弾性力により中心側（矢印Ａ）へ付勢され、係止部２４３は、中心側上方（矢印Ｂ）に付勢される。導入部２４４は、コーン部３０を取付ける際に、コーン部３０を器具本体２０の中心へと導く。
【００１６】
図１に示すように、各フレーム２３の外面には、器具本体２０を天井面に取付けるための器具本体取付バネ２５が、フレーム２３に対して高さ位置調整可能に設けられている。器具本体取付バネ２５は先端が下方へ付勢されており、枠部材２２との間に天井部材を挟持して器具本体２０を取付ける。
【００１７】
天板２１の上面には、全体コ字状をしたランプ取付台２６が取付けられており、ランプ取付台２６の上板２６１の下面には、ランプを装着するためのソケット２７が取付けられている。
従って、ソケット２７にランプを装着すると、ランプは天板２１の開口部２１１から下方へ突出してフレーム２３、２３間の中央に位置する。
【００１８】
コーン部３０は、例えば楕円曲面の反射面３１１を有するコーン３１と、コーン３１を器具本体２０に取付けるための支持金具３２を有する。支持金具３２およびコーン３１の中心は、上下方向に貫通する空間を有しており、コーン部３０を取付けると、ソケット２７に装着されたランプがコーン３１の内部に収容されるようになっている。
図２にも示すように、支持金具３２は全体円筒形状をしており、その上端部には、上へ行くに従って内径Ｄ１が大きくなる鍔部３３が設けられている。
すなわち、鍔部３３においては、従来のようなカール部１１０（図５参照）のように上から下向きに円弧状に曲げられた部分は設けられない。
【００１９】
従って、天井等の被取付部に取付けられている器具本体２０に、コーン部３０を取付ける際には、図１に示すように、器具本体２０の枠部材２２の開口部２２１からコーン部３０の支持金具３２を挿入する。そして、支持金具３２の先端の鍔部３３によってコーン取付バネ２４の導入部２４４を外側に押し開きながら上昇させて、鍔部３３がコーン取付バネ２４の係止部２４３に達するまで上昇させる。
これにより、鍔部３３は係止部２４３によって下側から押圧され（図２中矢印Ｂ方向）、コーン部３０が器具本体２０に取付けられる。
なお、コーン部３０を下方へ強く引き下げることにより、コーン部３０は器具本体２０から取り外すことができる。
【００２０】
以上、説明した実施形態の照明器具１０は、コーン部３０の上端部である支持金具３２の上端部に、上へ行くに従って内径Ｄ１が大きくなる鍔部３３を設けたので、従来のようなカール部を設ける工程がなくなり、工数を削減してコストダウンを図ることができる。また、鍔部３３には、従来のカール部のように液が溜まらないので、メッキ処理時の品質向上を図ることができる。
【００２１】
さらに、図３に示すように、コーン取付バネ２４を誤って支持金具３２の内側へ挿入した場合に、支持金具３２の上端部は内径Ｄ１が大きくなっているので、コーン取付バネ２４は鍔部３３に当接しない。これにより、コーン取付バネ２４が支持金具３２内部のランプやソケット２７等を押圧する力が低下して保持しないので、不完全嵌合を防止することができる。
このとき、コーン取付バネ２４の導入部２４４の先端が当接する支持金具３２の内径Ｄ２を大きくすると、コーン取付バネ２４のランプやソケット２７等に対する押圧力をさらに弱くすることができるので、一層効果的である。
【００２２】
なお、本発明の照明器具は、前述した実施形態に限定されるものでなく、適宜な変形，改良等が可能である。
【符号の説明】
【００２３】
１０  照明器具
２０  器具本体
２４  コーン取付バネ
３０  コーン部
３３  鍔部
Ｄ１  内径
【図１】
2011113753.tif 000003
【図２】
2011113753.tif 000004
【図３】
2011113753.tif 000005
【図４】
2011113753.tif 000006
【図５】
2011113753.tif 000007